(57)【要約】【解決手段】発光素子をもつハウジングを備えた照明器具であって、発光素子はハウジングの発光側の近くに位置し、ハウジングの壁に収容された１以上のセンサにユーザが触れることで活性化されるものであり、センサは多次元に配置され、活性化される発光素子の数は、ユーザが触れるセンサを有する壁面のサイズに比例することを特徴とする照明器具。【選択図】図１
2011524608.tif 000002
【特許請求の範囲】
【請求項１】
発光素子をもつハウジングを備えた照明器具であって、発光素子はハウジングの発光側の近くに位置し、ハウジングの壁に収容された１以上のセンサにユーザが触れることで活性化されるものであり、センサは多次元に配置され、活性化される発光素子の数は、ユーザが触れるセンサを有する壁面のサイズに比例することを特徴とする照明器具。
【請求項２】
複数の方向にセンサを有する壁面にユーザが触れることにより、対応する方向に発光素子が活性化し、一方における発光素子が活性化される時間と空間の順序、および、他方におけるセンサが触れられた速度と位置の間には線形の関係があることを特徴とする請求項１に記載の照明器具。
【請求項３】
センサを有する壁面は、ハウジングの発光側とは反対向きの側にあることを特徴とする請求項１または２に記載の照明器具。
【請求項４】
発光素子によって照射された光のビームの幅は、互いにある距離だけ離れた位置にある２点においてセンサを有する壁面に触れることを通して調整可能であり、２点間の距離はユーザによって変更可能であることを特徴とする請求項１、２、または３に記載の照明器具。
【請求項５】
発光素子によって照射された光のビームの幅は、ユーザが触れる表面上のセンサ間の最大距離に連動することを特徴とする請求項４に記載の照明器具。
【請求項６】
発光素子によって照射された光のビーム幅、強度、および／またはカラーは、センサ表面が繰り返し触れられることにより、調整されることを特徴とする請求項１、２、または３に記載の照明器具。
【請求項７】
発光素子によって照射される光の強度は、センサを有する壁面上の仮想的な点の周りを円形に触る運動によって、その触る運動中の回転の方向に依存して、増加または減少することを特徴とする先行する請求項のいずれかに記載の照明器具。
【請求項８】
壁面にあるセンサは圧力センサであることを特徴とする先行する請求項のいずれかに記載の照明器具。
【請求項９】
発光素子は、センサを有する壁面上の素早い上下運動によってスイッチを切られることを特徴とする先行する請求項のいずれかに記載の照明器具。
【請求項１０】
センサを有する壁面の少なくとも一部は、操作中にそれぞれが特定の色の光を照射する１以上の発光素子に連動しており、発光色は、操作中にセンサを有する壁面上でドラッグすることにより、他の発光素子によって照射される色で合成されることを特徴とする先行する請求項のいずれかに記載の照明器具。
【請求項１１】
照射された色つきの光の強度は調整可能であることを特徴とする請求項１０に記載の照明器具。
【請求項１２】
センサを含む表面上の動きは登録され、メモリに格納され、その後、ユーザはメモリに格納された量を再生可能であることを特徴とする先行する請求項のいずれかに記載の照明器具。
【請求項１３】
発光素子は発光ダイオード（ＬＥＤ）であることを特徴とする先行する請求項のいずれかに記載の照明器具。
【発明の詳細な説明】
【技術分野】
【０００１】
本発明はハウジングの発光側の近くに配置され、ハウジングの壁に収容された１以上のセンサにユーザが触れると活性化する発光素子をもつハウジングを備えた照明器具に関する。
【背景技術】
【０００２】
照明器具は室内照明および屋外照明の両方に用いられる。室内照明用の既知の照明器具（家や事務所において用いられるようなもの）は通常、照明器具のハウジング内に配置された（ハロゲン）白熱灯または蛍光灯を備える。これらのランプは、ハウジングの近くに設けられたスイッチを用いてユーザがスイッチを入れたり、切ったりする。
【０００３】
しかしながら、今日では、発光ダイオード（ＬＥＤ）のようなより小型のいろいろな発光素子が照明器具の中でますます用いられている。これらの光源は高い発光効率をもち、稼働年数が長いからである。このような光源は非常に小型であるから、今や照明器具は、従来のランプでは実用上不可能であった形状と大きさをもたせて使われている。
【０００４】
接触（タッチ）を感知するセンサをもつプレートまたは表面によって、ランプシステムや照明器具の光出力に影響を与え、制御することが、たとえば、米国特許出願2002/0159267号公報で知られている。光源に対する明るさの制御をもつタッチセンサがそこには記載されており、たとえば、ガラスまたは合成樹脂で作られた触知性のプレートがそのセンサには使われている。
【０００５】
プレートに触れることで光源のスイッチを入れたり、切ったりできる。ある実施の形態では、プレートは電気回路と結合しており、それによってユーザは光源の強度を調整できる。ユーザは、電子パネルの機能を有するプレートを使って光の強度を望ましいように調整することができる。そのようなプレートは、光源をもつハウジングからある距離だけ離れた場所に配置される。
【発明の概要】
【発明が解決しようとする課題】
【０００６】
一列に配置されたＬＥＤが、ＬＥＤの背後に配置された個々のセンサと個別に連動する細長い照明器具があり、ユーザが自分の手で個々のセンサに触れると、ＬＥＤが光を照射する。そのような一次元配置では、ユーザが自分の欲するように照射光のビーム形状に影響を与えることはほとんどできない。
【０００７】
本発明の目的は、強度、ビーム幅、操作中に照射される光の色といった多数の変数をユーザが簡単な方法で調整することができる照明器具を提供することにある。
【課題を解決するための手段】
【０００８】
本発明によれば、この目的のための照明器具は、センサが多次元に配置され、活性化される発光素子の数は、ユーザが触れるセンサを有する壁面のサイズに比例するという特徴を有する。
【０００９】
たとえば、ハウジングの壁にある２次元センサ表面上にセンサを多次元配置すると、ユーザが触れることによって、照明器具が照射する光の特徴的な形状を出力できる可能性が大きく開かれる。センサを３次元に配置する場合として、たとえば、センサを有する湾曲した表面、または互いに角度をもって囲むセンサを有する多数の表面がある。センサは一般にユーザの手によって触れられて活性化（作動）する。現実に触れることだけでなく、たとえば、非常に接近した距離でセンサの上に手を保持することによってもセンサに影響を与えることができることは十分に考えられる。ここでは、これもまた「触れる（タッチ）」と定義する。
【００１０】
本発明に係る照明器具では、非常に簡単で、ユーザフレンドリーで、遊び感覚のやり方で、操作中に照明器具によって照射される光の量に影響を与えることができる。それによって、ユーザは手動のアクションによって個人的に望ましい照明効果を得るように促される。
【００１１】
ハウジングの壁に収容された発光素子は好ましくは発光ダイオード（ＬＥＤ）である。そのような光源は低消費電力であり、その小型性のゆえに簡単な方法でハウジングの壁に搭載できる。ＬＥＤはまた、照射光の色を調整できるという利点があり、ある特別なアプリケーションにおいて役立つ。
【００１２】
好ましくは、ユーザが多方向でセンサを有する壁面に触れると、対応する方向の発光素子が活性化する。一方における発光素子が活性化される時間と空間の順序、および、他方におけるセンサを触れる速度と位置の両者の間には線形の関係がある。この実施の形態は、ユーザがセンサに触れることを通して直接かつ高速に調整することができるという利点がある。影響を与えることのできる特定の変数には、光の強度、色、ビーム幅、おより照射光のダイナミズムがある。
【００１３】
センサは、発光素子からある距離だけ離れた位置にある照明器具のハウジングの一部の中に提供される。好ましくは、センサを有する壁面は、光の照射側とは反対のハウジングの側面に位置する。センサは光の照射側の背面に位置する壁の部分に収容される。ユーザによる操作は、光源の後ろに位置するハウジングの側面に対して直接行われる。このようにしてユーザは、照射される光を自分の要求に直接合わせているという感覚をより簡単にもつようになる。
【図面の簡単な説明】
【００１４】
本発明は、本発明に係る照明器具の好ましい実施の形態が模式的に図示された図面を参照してより詳細に説明される。もっとも、本発明はこれらの実施の形態に限られるものではない。
【図１】本発明に係る照明器具の斜視図である。
【図２】手の指がセンサ表面に触れる実施の形態を模式的に示す。
【図３】照射光の光が影響を受ける実施の形態を模式的に示す。
【発明を実施するための形態】
【００１５】
図１の照明器具は、ハウジングの発光側３の近くに位置する発光素子（無機ＬＥＤ）２をもつ半透明の合成樹脂のハウジング１を含む。ハウジングの背面壁に収容され、その背面壁のわずかに湾曲した表面上にマトリックス上に配置されたセンサ群４にユーザが触れると、これらの発光素子は活性化（作動）する。ユーザによって活性化させられるＬＥＤの数は、ユーザが触れる、センサを有する壁面のサイズに比例する。ユーザ自身が、たとえば、オブジェクトに広いビームを当てたり、比較的狭いビームを当てることによって、望ましい調整をする。ハウジングには、たとえばテーブル上に置くことができるベース５が備えられる。ＬＥＤがそうであるように、センサは接触（タッチ）に敏感であり、多次元的なやり方でグループ分けされる。ハウジングの発光側３と他方の側４は両方ともわずかながら湾曲している。センサを有する壁面は、いくつかの方向の接触に敏感であり、発光素子は対応する方向に活性化される。これについては図２Ａから図２Ｃを参照してより詳細に議論する。
【００１６】
センサを含む表面６に触れることにより、ハウジングの他方の側に位置する表面７の発光素子部分がどのように活性化するかを図２Ａに模式的に示す。お互いに短い距離だけ離れた位置にある２点ＡとＢ上に手の指（たとえば、親指と人差し指；図２Ｂ参照）を置くことにより、表面７の発光部分８のサイズを指し示す。部分８の半径は、表面６上のＡとＢの間の距離によって決まる。ＡとＢの間の距離が増加すると（すなわち、表面上でユーザが二本の指をドラッグすることにより、親指と人差し指の間の距離が増す）、表面７における発光部分は、符号９で参照されるサイズにまで増加する。この距離の増加は、サイズ９に対応する点Ａ'とＢ'間の距離が到達する点までの二つの矢印で示されている。ＬＥＤによって照射される光のビームの幅は、このように、センサを有する壁面に手の２以上の指が触れ、ユーザが指の間の距離を変えることにより、調整される。
【００１７】
発光素子におり照射される光のビームの幅は、ユーザが触れる表面上のセンサ間の最大距離に連動する。
【００１８】
別の実施の形態では、ビームは、親指と１以上の指の間の距離の増加によって影響を受けないが、センサに繰り返し触れることによって影響を受ける（「繰り返しピンチ」をすると、ビーム半径が増加したり、減少したりする。たとえば、二本の指でセンサ表面を同じ開始点で周期的に繰り返し触れるとそうなる）。表面７の発光部分８の増加は、距離Ａ−Ｂの増加またはその増加の速度に比例する、あるいは、逆に反比例する。
【００１９】
図２Ｃの実施の形態において、表面６に示すように、センサを含む壁面上の仮想点Ｐの周りに手の指によって実行される円形の動きによる回転の方向（矢印で示すように、ＣからＣ'またはＤからＤ'）に依存して、発光素子によって照射される光の強度が増加したり、減少したりする。明るさは角度αの値に依存する。
【００２０】
ＲＧＢ−ＬＥＤを用いた特別な実施の形態では、これらのＲＧＢ−ＬＥＤの照射光の色は、この円運動によって設定され、修正される。
【００２１】
別の実施の形態では、表面７上の発光素子は、壁面６上またはその近くの素早い上下タッチによってスイッチが切られる。（照明器具のベースにあるような）さらなるスイッチはこの目的のために必要ではない。
【００２２】
表面６にあるセンサは、ある実施の形態では圧力センサとして構成される。他の指がセンサに及ぼす力を一定に保ちながら、親指を使ってある程度強く短く押すことにより、光ビームの強度または幅は影響を受ける。これはまた、近接センサを用いることでも達成できる。
【００２３】
図３Ａは、ユーザが手動で特定の色を設定することができる、本発明に係る照明器具の実施の形態を示す。センサ６を有する壁面の部分は、操作中に各々が特定の色の光を照射する１以上のＲＧＢ−ＬＥＤに連動している。センサを含む壁面上で手をドラッグすることで、色を操作中に他の素子によって照射される色と合成することができる。照射される可視光の強度もまた、この過程で設定することができる。
【００２４】
タッチ表面６は、たとえば、三原色（ＲＧＢ）に対する起点（ソース）として作用する部分１０、１１、１２をもつ。このように赤色は部分１０に、緑色は部分１１に、青色は部分１２と対応付けられる。白色光を照射する部分に対応している表面の部分は符号１３で示される。指をセンサ表面上で位置１４から位置１３へ（矢印の方向に）移動させると、赤い光がより多く混ざる。これは、表面７においてＲ＋、Ｇ、Ｂとして示されている。逆に、表面上で１３から始めて指を１４の方向に移動させると、白色光における赤色の貢献は減少する。
【００２５】
図３Ｂは、図３Ａと同様の状況を示すが、可能性がさらに付け加わっており、赤の位置１０に触れている表面エリアを増やすことにより、それに比例して照射光における赤色成分を増加させることができる。これは、１６の方向に動かす３つのタッチ点１５によって示されている。表面７上にその結果がＲ＋＋、Ｇ、Ｂとして表されている。
【００２６】
特別な実施の形態では、センサのタッチにおける入力はメモリに格納される。センサ表面上の動き、たとえば、開始時点と開始位置、および離す直前の時点と離した位置がメモリに登録される。指または手をセンサ表面上に短い期間保ち、その後、再び取り除くならば、メモリ上の登録に影響を及ぼすこともできる。
【００２７】
別の実施の形態では、たとえば、センサ表面の一部分の上で指を動かすことによるセンサの活性化がメモリに格納される。手を往復運動させながら、ある時間、「プログラムされた」センサ表面から短い検出可能な距離だけ離れた場所に保持することで、メモリに格納されたプログラムによってセンサがあらためて活性化する。これはこの文脈では「再生」と呼ばれる。
【００２８】
ビーム幅、強度、および／または照射光の色などを変更するためのセンサアクションのような他の量もまたメモリに登録してもよい。
【図１】
2011524608.tif 000003
【図２Ａ】
2011524608.tif 000004
【図２Ｂ】
2011524608.tif 000005
【図２Ｃ】
2011524608.tif 000006
【図３Ａ】
2011524608.tif 000007
【図３Ｂ】
2011524608.tif 000008
【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
発光素子をもつハウジングを備えた照明器具であって、発光素子はハウジングの発光側の近くに位置し、ハウジングの壁に収容された１以上のセンサにユーザが触れることで活性化されるものであり、センサは多次元に配置され、活性化される発光素子の数は、ユーザが触れるセンサを有する壁面のサイズに比例することを特徴とする照明器具。
【請求項２】
複数の方向にセンサを有する壁面にユーザが触れることにより、対応する方向に発光素子が活性化し、発光素子が活性化される時間の順序とセンサが触れられた速度の間には線形の関係があり、発光素子が活性化される空間の順序とセンサが触れられた位置の間には線形の関係があることを特徴とする請求項１に記載の照明器具。
【請求項３】
センサを有する壁面は、ハウジングの発光側とは反対向きの側にあることを特徴とする請求項１または２に記載の照明器具。
【請求項４】
発光素子によって照射された光のビームの幅は、互いにある距離だけ離れた位置にある２点においてセンサを有する壁面に触れることを通して調整可能であり、２点間の距離はユーザによって変更可能であることを特徴とする請求項１、２、または３に記載の照明器具。
【請求項５】
発光素子によって照射された光のビームの幅は、ユーザが触れる表面上のセンサ間の最大距離に連動することを特徴とする請求項４に記載の照明器具。
【請求項６】
発光素子によって照射された光のビーム幅、強度、および／またはカラーは、センサ表面が繰り返し触れられることにより、調整されることを特徴とする請求項１、２、または３に記載の照明器具。
【請求項７】
発光素子によって照射される光の強度は、センサを有する壁面上の仮想的な点の周りを円形に触る運動によって、その触る運動中の回転の方向に依存して、増加または減少することを特徴とする先行する請求項のいずれかに記載の照明器具。
【請求項８】
壁面にあるセンサは圧力センサであることを特徴とする先行する請求項のいずれかに記載の照明器具。
【請求項９】
発光素子は、センサを有する壁面上の素早い上下運動によってスイッチを切られることを特徴とする先行する請求項のいずれかに記載の照明器具。
【請求項１０】
センサを有する壁面の少なくとも一部は、操作中にそれぞれが特定の色の光を照射する１以上の発光素子に連動しており、発光色は、操作中にセンサを有する壁面上でドラッグすることにより、他の発光素子によって照射される色で合成されることを特徴とする先行する請求項のいずれかに記載の照明器具。
【請求項１１】
照射された色つきの光の強度は調整可能であることを特徴とする請求項１０に記載の照明器具。
【請求項１２】
センサを含む表面上の動きは登録され、メモリに格納され、その後、ユーザはメモリに格納された量を再生可能であることを特徴とする先行する請求項のいずれかに記載の照明器具。
【請求項１３】
発光素子は発光ダイオード（ＬＥＤ）であることを特徴とする先行する請求項のいずれかに記載の照明器具。
【国際調査報告】
2011524608.tif 000009
2011524608.tif 000010